(57)【特許請求の範囲】
【請求項１】
天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結してなることを特徴とするデスク。
【請求項２】
天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結し、前記取付体は、前記天板の下面の両側部に取付けた両側面板を少なくとも備え、該側面板を前記上横杆の内側に接合して互いに連結し、前記取付体の両側面板の間に、単数又は複数の引出しを設け、該引出しの前板が前記脚杆の膨出部に形状的に連続してなることを特徴とするデスク。
【発明の詳細な説明】
【技術分野】
【０００１】
本発明は、デスクに係わり、更に詳しくは天板の側部にオプション部材の取付機能を設けたデスクに関するものである。
【背景技術】
【０００２】
従来から天板の側端よりも内側に脚杆を取付け、天板の側縁を開放した構造のデスクは公知であり、このような構造のデスクには、天板の側縁に、机上照明具を支持するアームを、クランプを用いて取付けることが可能である。しかし、脚杆を天板の側端より内側に取付けると、脚入れ空間が狭くなるといった不都合が生じる。
【０００３】
特許文献１には、天板側面に沿う位置に前後の脚杆を設け、前後の脚杆の上端間に連結した上横杆を天板側端に沿わせて配置し、前記天板の外周縁下部に凹部を設けて前記上横杆との間に間隙を形成した構造のデスクが開示されている。そして、この間隙を利用して机上照明具を支持するアームを、クランプを用いて取付け、あるいは上棚や仕切りパネル等のオプション部材を取付けるようにしている。
【０００４】
また、特許文献２には、天板の側面に沿うとともに、該天板の後端部を余した位置に脚板体を取付けた構造のデスクが開示され、前記天板の側縁後端部の脚板体が存在しない位置に机上照明具を支持するアームを、クランプを用いて取付けることが可能である。
しかし、特許文献１に記載のデスクの場合、天板の外周縁下部に位置によって深さの異なる二種類の凹部を形成する必要があり、加工に手間がかかり、コスト高になり、更に深い凹部の位置にしかクランプを取付けることができないといった問題がある。また、特許文献２に記載のデスクの場合、クランプを取付けることができるのは、天板の側縁では後端部に限られ、特許文献１と同様に天板側縁の任意の位置にクランプや固定金具を取付けることができない。
【先行技術文献】
【特許文献】
【０００５】
【特許文献１】特開２０１１−０２４６２９号公報
【特許文献２】特開２００９−０１１４５９号公報
【発明の概要】
【発明が解決しようとする課題】
【０００６】
そこで、本発明が前述の状況に鑑み、解決しようとするところは、天板側面に沿う位置に前後の脚杆を設け、前後の脚杆の上端間に上横杆を連結した構造のデスクにおいて、天板側縁の任意の位置に、机上照明具を支持するアームの固定用クランプや、机上棚あるいは他の書棚を連結するための固定金具を取付けることが可能なデスクを提供する点にある。
【課題を解決するための手段】
【０００７】
本発明は、前述の課題解決のために、天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結してなることを特徴とするデスクを構成した（請求項１）。
【０００８】
また、本発明は、天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結し、前記取付体は、前記天板の下面の両側部に取付けた両側面板を少なくとも備え、該側面板を前記上横杆の内側に接合して互いに連結し、前記取付体の両側面板の間に、単数又は複数の引出しを設け、該引出しの前板が前記脚杆の膨出部に形状的に連続してなることを特徴とするデスクを構成した（請求項２）。
【発明の効果】
【０００９】
以上にしてなる請求項１に係る発明のデスクは、天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結してなるので、前記脚杆を取付けた位置を除き天板の側縁が開放されており、天板側縁の任意の位置に、机上照明具を支持するアームの固定用クランプや、机上棚あるいは他の書棚を連結するための固定金具を取付けることができ、また天板に追加加工を施す必要がないのでコスト上昇を抑制することができる。更に、天板側面に沿う位置に設けた脚杆の上端に天板を載置するとともに、天板側端より内側に位置する上横杆と天板下面に固定した取付体の側面とを連結したので、脚杆に左右方向外向きに作用する力に対して剛性が高く、天板の支持強度も高くなる。その上、前後の脚杆の上端間を連結した上横杆を天板下面に固定した取付体を構成する側面板に面接合状態で連結することができるので、連結作業が簡単であるとともに、連結状態が安定する。加えて、左右の脚杆間の脚入れ空間を広く確保した状態で、上横杆をより内側に位置させることができ、天板側縁の下面側を広く開放することができ、クランプや固定金具を、余裕をもって取付けることができる。
【００１０】
請求項２に係る発明のデスクは、天板側面に沿う位置に前後の脚杆を設け、前後の脚杆の上端間に連結した上横杆を天板側端より内側に位置させ、前記天板の四隅を脚杆の上端に載置するとともに、該天板の下面に固定した取付体の両側面を前記上横杆に連結したデスクであって、前記脚杆は、正面視おいて上端部の内側に内方へ突出した膨出部を設けたものであり、前記上横杆を該膨出部の内端に連結し、前記取付体は、前記天板の下面の両側部に取付けた両側面板を少なくとも備え、該側面板を前記上横杆の内側に接合して互いに連結し、前記取付体の両側面板の間に、単数又は複数の引出しを設け、該引出しの前板が前記脚杆の膨出部に形状的に連続してなるので、請求項１の効果に加えて、脚杆の膨出部の存在によって、天板の支持強度が高くなる上に、引出しの前板と脚杆との外観上における連続一体感を出すことができる。
【図面の簡単な説明】
【００１１】
【図１】本発明に係るデスクの全体斜視図である。
【図２】同じくデスクの組立て状態を示す分解斜視図である。
【図３】同じくデスクの縦断側面図である。
【図４】同じくデスクの部分拡大縦断正面図である。
【図５】本発明に係るデスクと書棚を組み合わせて使用する例を示す全体斜視図である。
【図６】書棚の分解斜視図である。
【図７】書棚の仕切板の取付構造を示し、（ａ）は部分拡大斜視図、（ｂ）は分解断面図である。
【図８】引出しの収容空間内を仕切る構造を示す斜視図である。
【図９】同じく分解斜視図である。
【図１０】本発明に係るデスクと組み合わせて使用する組替え書棚を示し、（ａ）はコア棚の収納部が側方を向いた態様を示す全体斜視図、（ｂ）はコア棚の収納部が前面を向いた態様を示す全体斜視図である。
【図１１】本発明に係るデスクと組替え書棚を組み合わせて使用する使用例を示し、（ａ）はデスクの側方に組替え書棚を設置した使用例を示す全体斜視図、（ｂ）は二つの組替え書棚を上下に積み重ね、その両側にデスクを設置した使用例を示す全体斜視図である。
【発明を実施するための形態】
【００１２】
次に、添付図面に示した実施形態に基づき、本発明を更に詳細に説明する。図１〜図４は本発明に係るデスクを示し、図中符号１は天板、２は脚杆、３は上横杆、４は下横杆、５は上連結杆、６は下連結杆、７は取付体、８は引出しをそれぞれ示している。
【００１３】
本発明に係る木製のデスクは、天板１の側面に沿う位置に前後の脚杆２，２を設け、前後の脚杆２，２の上端間に連結した上横杆３を天板１の側端１Ａより内側に位置させ、前記天板１の四隅を脚杆２，…の上端に載置するとともに、該天板１の下面に固定した取付体７の両側面を前記上横杆３，３に連結したものである。
【００１４】
更に詳しくは、図１及び図２に示すように、前記脚杆２は、正面視おいて上端部の内側に内方へ突出した膨出部９を設けたものであり、偏平な板材からなる前記上横杆３を該膨出部９の内端９Ａに連結している。前記脚杆２の膨出部９は、上面側が水平面で、下面側が下部の脚柱部１０の内側面と連続した円弧面９Ｂとなっている。そして、前記上横杆３を偏平面（広い面）が側面を向くように配置し、端部を前記脚杆２の膨出部９の内端９Ａに面一になるように連結している。更に、前後の脚杆２，２の下端部間に下横杆４を連結し、前後の脚杆２，２、上横杆３及び下横杆４とで側面視四角形の剛構造の脚体を構成している。
【００１５】
そして、図２に示すように、両側に対称に脚体を配し、前記上横杆３，３の後部間を上連結杆５で着脱可能に連結するとともに、後方の両脚杆２，２の下端部間を下連結杆６で着脱可能に連結している。
【００１６】
一方、前記天板１の下面には、箱状の取付体７を固定している。前記取付体７は、前記天板１の下面の両側部に取付けた両側面板１１，１１を少なくとも備え、該側面板１１，１１を前記上横杆３の内側に接合して互いに着脱可能に連結している。
【００１７】
更に詳しくは、図２及び図３に示すように、前記取付体７は、前記天板１の下面の両側部に側端１Ａから所定距離を設けて前記両側面板１１，１１を固定するとともに、中心にも側面板１１と同様な支持板１２を平行に固定し、前記側面板１１，１１及び支持板１２の下端にわたり底面板１３を固定し、箱状の剛性構造としている。
【００１８】
そして、図２〜図４に示すように、前記各脚杆２，…の上端に前記天板１の四隅を載置するとともに、前記取付体７を両上横杆３，３の間に嵌合し、左右両側において前記上横杆３と前記取付体７の側面板１１とを面接合した状態で、前記上横杆３に形成した取付孔１４に側方から挿入した連結ネジ１５を、前記側面板１１に埋設したナット１６に螺合して連結する。
【００１９】
また、前記取付体７の両側面板１１，１１と支持板１２との間の空間に引出し８，８を左右に設けている。ここで、図１に示すように、前記引出し８の前板１７が前記脚杆２の膨出部９に形状的に連続するようにしている。つまり、脚入れ空間に面して、前記脚杆２の脚柱部１０から膨出部９の円弧面９Ｂを経て、引出し８の前板１７に至る連続な外観となっている。
【００２０】
本実施形態のデスクは、ノックダウン方式となっており、天板１と取付体７とが一体化した部品、四角形構造の一対の脚体、上連結杆５及び下連結杆６の各部品に分解された状態で梱包・搬送され、使用場所で前述のように簡単に組立てることができる。
【００２１】
本発明に係るデスクは、図４に示すように、前記天板１の側縁の下方は、上横杆３が内側寄りに位置しているので、脚杆２を設けた部位以外は開放されている。そのため、図１に示すように、机上照明具１８のアーム１９を支持するクランプ２０を前記天板１の側縁の任意の位置に取付けることができる。また、前記天板１の後部に机上棚２１を載置した場合には、該机上棚２１と天板１の側縁とを固定金具２２を用いて連結することができる。勿論、前記天板１の後縁は、前記上連結杆５が後方の脚杆２よりも前側位置に設けられているので、側縁と同様にクランプ２０や固定金具で机上照明具１８等のオプション部材を天板１の後縁に取付けることができる。
【００２２】
図５は、本発明に係るデスクＡの後部に書棚Ｂを設置した使用例を示している。この書棚Ｂは、図５及び図６に示すように、前記机上棚２１と下部棚２３とを積み重ねて、前記固定金具２２で両側面を連結したものであり、前記机上棚２１を分離して前記天板１の後部に載置して固定金具２２で天板１の両側部に連結することができるようになっている。ここで、下部棚２３の上面板２４は、前記デスクＡの天板１の高さに一致させ、デスクＡに隣接して書棚Ｂを設置した場合に、天板１と上面板２４とが一体となった広い天板として使用できるようにしている。そして、前記下部棚２３の上面板２４の前後縁には、切欠部２５を設けて、前記天板１と上面板２４とを密接させた状態でも、天板１の縁部に前記クランプ２０等を該切欠部２５に位置させることができ、また上下に貫通した孔が形成されるので、配線コード類を挿通することも可能である。
【００２３】
前記書棚Ｂの棚板２６には、図５〜図７に示すように、仕切板２７が左右位置変更可能に設けられている。前記棚板２６の前後中間位置に左右方向に延びたスリット孔２８を形成し、該スリット孔２８に挿通したネジ２９を前記仕切板２７の下端中央部に埋設したナット３０に螺合している。ここで、前記スリット孔２８の上下孔縁には段差を設けて座グリ部３１を形成し、前記ネジ２９の頭部３２を収容し、前記棚板２６の上下面から突出しないようにしている。前記スリット孔２８は、棚板２６の上下面で対称に形成しているので、前記仕切板２７は該棚板２６の上下面の何れにも取付けることができるようになっている。また、図７（ｂ）に示すように、前記仕切板２７のナット３０を設けた部分に、前記座グリ部３１に嵌合して該仕切板２７の回転を規制する嵌合部２７Ａを突設している。つまり、前記仕切板２７を棚板２６の上面又は下面に当接し、前記スリット孔２８の反対側からネジ２９を挿入してナット３０に螺合して締め付けると、前記嵌合部２７Ａがスリット孔２８の孔縁の座グリ部３１に嵌合し、１本のネジ２９でも仕切板２７が回転することなく強固に取付けることができる。
【００２４】
また、前記書棚Ｂは、図５〜図７に示すように、表裏のどちらの側からも使用できるように、背板が存在しないオープン棚となっている。そのため、前記棚板２６に載置した書籍等の物品の移動を規制し、あるいは収納時の位置決めのために当て止めをするために、前記棚板２６の前後縁部にストッパー具２６Ａを付け替え可能に設けている。前記ストッパー具２６Ａは、金属棒をコ字形に屈曲して形成したものである。前記棚板２６の四隅には、前記ストッパー具２６Ａの両端部を嵌挿可能な嵌合孔２８Ｂ，…を形成している。そして、前記棚板２６の前縁又は後縁の一対の嵌合孔２８Ｂ，２６Ｂに前記ストッパー具２６Ａの両端部を上方から嵌挿して棚板２６の上面から突出した状態に装着する。このように、前記ストッパー具２６Ａを簡単に付け替えることができ、書棚Ｂの表裏両側からの使い勝手が良くなるのである。
【００２５】
また、図８及び図９には、前記引出し８の収容空間３３を小空間に仕切るための板状の仕切部材を示している。仕切部材は、３種類である。縦方向の両側に配置する一対の縦仕切部材３４，３４と、横方向に配置する複数の横仕切部材３５，…と、縦方向に配置して小さな空間に仕切る複数の小仕切部材３６，…とからなる。前記縦仕切部材３４は、両端に上向き開放した切欠部３４Ａ，３４Ａと、中間部に上方へ開放したスリット３４Ｂ，…を一定間隔で複数形成したものである。前記横仕切部材３５は、両端に下向き開放した切欠部３５Ａ，３５Ａと、中間部に上方へ開放したスリット３５Ｂ，…を一定間隔で複数形成したものである。前記小仕切部材３６は、両端に下向き開放した切欠部３６Ａ，３６Ａと、中間部に下方へ開放したスリット３６Ｂを形成したものである。
【００２６】
先ず、前記縦仕切部材３４，３４を引出し８の収容空間３３の両端に沿って配置し、次に前記横仕切部材３５の切欠部３５Ａを上方から縦仕切部材３４の切欠部３４Ａに嵌合するとともに、他の横仕切部材３５の切欠部３５Ａを上方から縦仕切部材３４のスリット３４Ｂに嵌合する。それから、任意の隣接する３枚の横仕切部材３５，…を選択し、前記小仕切部材３６の両端の切欠部３６Ａ，３６Ａと中間のスリット３６Ｂを上方から前記横仕切部材３５，…のスリット３５Ｂ，…に同時に嵌合する。各切欠部とスリットの深さは部材の上下高さの半分に設定しているので、組み合わせた状態では各部材の上縁は同一高さとなる。図８は、２枚の縦仕切部材３４，３４と、５枚の横仕切部材３５，…と、３枚の小仕切部材３６，…とで区画した一例を示している。横仕切部材３５，…と小仕切部材３６，…を組替えることによって、様々な仕切態様を実現できる。
【００２７】
図１０及び図１１は、本発明に係るデスクＡと組み合わせて使用可能な組替え書棚Ｃを示している。この組替え書棚Ｃは、図１０に示すように、平面視コ字形のコア棚３７と、一枚の側板３８と、上面板３９と、複数の棚板４０，４０とから構成されている。前記コア棚３７は、両側の側面板４１，４１の一端間に背面板（図示せず）を連結するとともに、両側面板４１，４１の間に複数の小棚板４２，４２を連結し、剛性を高めた構造となっている。そして、図１０（ａ）は、前記コア棚３７の収納部を側方へ向け、背面板と平行に対向するように前記側板３８を位置させ、前記コア棚３７と側板３８の上端に前記上面板３９を載置して互いに連結するとともに、前記コア棚３７の背面板と側板３８との間に前記棚板４０，４０を上下に位置させて連結した態様を示している。また、図１０（ｂ）は、前記コア棚３７の収納部を前面へ向け、一方の側面板４１と平行に対向するように前記側板３８を位置させ、前記コア棚３７と側板３８の上端に前記上面板３９を載置して互いに連結するとともに、前記コア棚３７の側面板４１と側板３８との間に前記棚板４０，４０を上下に位置させて連結した態様を示している。
【００２８】
図１１（ａ）は、前記デスクＡの一側に、図１０（ａ）の態様の組替え書棚Ｃを配置した使用例を示している。この場合、前記デスクＡの天板１と組替え書棚Ｃの上面板３９は面一になるように高さを設定している。また、図１１（ｂ）は、図０（ａ）の態様の組替え書棚Ｃ１の上に図１０（ｂ）の態様の組替え書棚Ｃ２を載置し、下方の組替え書棚Ｃ１の上面板３９に上方の組替え書棚Ｃ２のコア棚３７と側板３８を連結し、両側に前記デスクＡ，Ａを設置した使用例を示している。この場合、上方の組替え書棚Ｃ２においては、下段の棚板４０と小棚板４２を取り去り、下方の組替え書棚Ｃ１の上面板３９の上方空間を広く使用できるようにしている。
【符号の説明】
【００２９】
Ａ  デスク、            Ｂ  書棚、
Ｃ，Ｃ１，Ｃ２  組替え書棚、
１  天板、              １Ａ  側端、
２  脚杆、              ３  上横杆、
４  下横杆、            ５  上連結杆、
６  下連結杆、          ７  取付体、
９  膨出部、            ９Ａ  内端、
９Ｂ  円弧面、          １０  脚柱部、
１１  側面板、          １２  支持板、
１３  底面板、          １４  取付孔、
１５  連結ネジ、        １６  ナット、
１７  前板、            １８  机上照明具、
１９  アーム、          ２０  クランプ、
２１  机上棚、          ２２  固定金具、
２３  下部棚、          ２４  上面板、
２５  切欠部、          ２６  棚板、
２６Ａ  ストッパー具、  ２６Ｂ  嵌合孔、
２７  仕切板、          ２８  スリット孔、
２９  ネジ、            ３０  ナット、
３１  座グリ部、        ３２  頭部、
３２  嵌合部、          ３３  収容空間、
３４  縦仕切部材、      ３５  横仕切部材、
３６  小仕切部材、      ３７  コア棚、
３８  側板、            ３９  上面板、
４０  棚板、            ４１  側面板、
４２  小棚板。
【図１】
0005923872.tif 000002
【図２】
0005923872.tif 000003
【図３】
0005923872.tif 000004
【図４】
0005923872.tif 000005
【図５】
0005923872.tif 000006
【図６】
0005923872.tif 000007
【図７】
0005923872.tif 000008
【図８】
0005923872.tif 000009
【図９】
0005923872.tif 000010
【図１０】
0005923872.tif 000011
【図１１】
0005923872.tif 000012